(57)【特許請求の範囲】
【請求項１】
接地線を含む電源側および負荷側の配線が取り付けられ、内部で該配線に接続された第１の接続部を有する上記配線を中継するアダプタ部と、
上記第１の接続部に接続するための第２の接続部を有し、上記アダプタ部に着脱自在に接続され、電力量の算出を行う計器部とを備えた電力量計であって、
上記アダプタ部は、
内部で上記配線に接続された上記第１の接続部と、上記接地線を除く上記電源側の配線との電気的な接続または非接続を切り替えるためのスイッチを有し、
上記第１の接続部および上記第２の接続部のうち、いずれか一方には上記配線に対応した複数の板状または棒状の接続端子が設けられ、他方には上記複数の接続端子に対応した複数の接続孔が設けられており、
上記接続端子のうち、上記接地線に対応した接続端子は、該接続端子以外の接続端子とは異なった形状に形成されるとともに、該接続端子以外の上記接続端子より長く形成されている
ことを特徴とする電力量計。
【発明の詳細な説明】
【技術分野】
【０００１】
この発明は、計器部とアダプタ部が着脱自在に接続された電力量計に関する。
【０００２】
詳しくは、この発明は、アダプタ部および計器部にそれぞれ設けられた第１の接続部および第２の接続部のうち、いずれかに板状または棒状の接続端子が設けられており、接続端子のうち接地線に対応した接続端子を、その他の接続端子とは異なった形状に形成するとともに、その他の接続端子よりも長く形成することによって、ユーザがアダプタ部に対して計器部の取り付けまたは取り外しをする際に、安全に作業を行うことを可能とした電力量計に係るものである。
【背景技術】
【０００３】
従来、電力量計は計器部とアダプタ部が容易に分離できない構成とされていたため、計器部だけを交換する際に、計器部に接続された配線および接地線を一つ一つ取り外さなければならず、大変面倒であった。また、配線および接地線を取り外した後、配線および接地線を再度接続する際にドライバ等を用いると短絡事故を起こすおそれがあった上、ユーザが配線および接地線を混同して誤接続することもしばしばあった。
【０００４】
また、誤って取り付けの際に配線を接地線より先に取り付けたり、取り外しの際に接地線を先に取り外したりしてしまう危険性があり、高い電圧（例えば２００Ｖ）がかかって機器等の破損等の事故につながることがあった。
【０００５】
そこで、従来、計器部とアダプタ部を分離可能とした電力量計が提案されている（特許文献１参照）。図５は、計器部とアダプタ部が分離した電力量計２００を示した図である。図５に示すように、電力量計２００は、アダプタ部２００Ａ、計器部２００Ｂ、および無線遠隔装置２００Ｃから構成される。
【０００６】
アダプタ部２００Ａには上部に棒状の接続端子２０１が取り付けられており、この接続端子２０１を挿入するための接続孔２０２が無線遠隔装置２００Ｃの下部に設けられている。また、無線遠隔装置２００Ｃの上部には、接続端子２０３が取り付けられており、この接続端子２０３に対応した接続孔２０４が計器部２００Ｂの下部に設けられている。
【０００７】
このように、アダプタ部２００Ａと計器部２００Ｂが無線遠隔装置２００Ｃを介して容易に着脱可能な構成とされている。
【０００８】
【特許文献１】特開２００３−２４８０２０号公報
【発明の開示】
【発明が解決しようとする課題】
【０００９】
特許文献１に記載の電力量計２００は、上述したように、無線遠隔装置２００Ｃを介してアダプタ部２００Ａと計器部２００Ｂとが着脱可能な構成であり、計器部２００Ｂの取り替えの際にドライバ等を用いる必要性はなかったものの、図５に示すように、接続端子２０１はいずれも同じ形状かつ同じ長さで形成されていた。
【００１０】
このため、ユーザは、配線のうち接地線に対応した接続端子２０１を接地線に対応していない接続孔２０２に誤接続したり、取り付けの際に誤って接地線の前に他の配線を先に接続したり、取り外しの際に接地線を先に取り外したりしてしまう可能性が考えられる。
【００１１】
この発明の目的は、ユーザがアダプタ部に対して計器部の取り付けまたは取り外しをする際に、安全に作業を行うことを可能とした電力量計を提供することにある。
【課題を解決するための手段】
【００１２】
この発明の概念は、
接地線を含む電源側および負荷側の配線が取り付けられ、内部で該配線に接続された第１の接続部を有する上記配線を中継するアダプタ部と、
上記第１の接続部に接続するための第２の接続部を有し、上記アダプタ部に着脱自在に接続され、電力量の算出を行う計器部とを備えた電力量計であって、
上記アダプタ部は、
内部で上記配線に接続された上記第１の接続部と、上記接地線を除く上記電源側の配線との電気的な接続または非接続を切り替えるためのスイッチを有し、
上記第１の接続部および上記第２の接続部のうち、いずれか一方には上記配線に対応した複数の板状または棒状の接続端子が設けられ、他方には上記複数の接続端子に対応した複数の接続孔が設けられており、
上記接続端子のうち、上記接地線に対応した接続端子は、該接続端子以外の接続端子とは異なった形状に形成されるとともに、該接続端子以外の上記接続端子より長く形成されている
ことを特徴とする電力量計にある。
【００１４】
この発明において、電力量計は、アダプタ部および計器部から構成される。
【００１５】
アダプタ部は、電柱の引込線から供給される電源側の配線と家庭やオフィス等の負荷側につながる配線が接続される。例えばアダプタ部の下部には、電源側および負荷側の配線が複数本接続されており、これらの配線の中には接地を目的とした接地線も含まれている。
【００１６】
また、計器部は、例えば、アダプタ部の上部に接続され、アダプタ部を中継して、配線から得られる電圧と電流に基づいて、この電力量計の取り付け先である、家庭やオフィス等で使用された電力量を算出する。
【００１７】
アダプタ部および計器部は、互いを接続する接続部分である、第１および第２の接続部をそれぞれ有している。これにより、計器部はアダプタ部に着脱自在に接続された構成とされる。
【００１８】
アダプタ部の有する第１の接続部は、計器部が取り付けられる位置、例えば上部に設けられている。第１の接続部は、アダプタ部の内部で、接地線を含む配線が電気的に接続された状態となっており、計器部の有する第２の接続部に接続されると、この第２の接続部を介して、計器部に配線から得られる電圧および電流が供給される。
【００１９】
第１および第２の接続部のうち、いずれか一方には、板状または棒状の接続端子が取り付けられている。また、第１および第２の接続部のうち、他方の、接続端子が設けられていない方には、これらの接続端子をそれぞれ嵌め込むための接続孔が設けられている。
【００２０】
これら接続端子および接続孔は、アダプタ部に接続された配線に対応して設けられている。また、これらの接続端子のうち、接地線に対応した接続端子は、その他の配線に対応した接続端子よりも長く形成されており、なおかつその他の配線に対応した接続端子とは異なった形状に形成されている。例えば、接地線に対応した接続端子の先端部を断面四角形とし、配線に対応した接続子の先端部を断面円形とする。
【００２１】
また、アダプタ部に、接地線を除く電源側の配線と第１の接続部との電気的な接続または非接続の切り替えを行うためのスイッチを設けてもよい。
【００２２】
ユーザは計器部の取り替えを行う際は、通常、安全のために、負荷側の配線に接続され、家またはオフィスの内部に設置された引込口開閉器を切って作業を行う。
【００２３】
この発明では、上述したように、接続先に応じて接続端子の長さが異なった形状とされているので、計器部をアダプタ部から取り外す際に接地線に対応した接続端子を最後に取り外すことができ、また、計器部をアダプタ部に取り付ける際に、接地線に対応した接続端子を最初に取り付けることができる。さらに、接続先に応じて接続端子の形状が異なるので、ユーザが誤接続しようとした場合でも接続されることがない。そのため、引込口開閉器を切っていない場合であっても、高い電圧がかかる等の事故を引き起こすことがなく、安全に作業を行うことができる。
【００２４】
また、スイッチが設けられることにより、ユーザは、取り付けの際にスイッチを予めオフにしてから計器部の取り付けを行うようにすれば、接地線に対応した接続端子を最初に接続することができ、取り外しの際も、スイッチをオフにしてから計器部の取り外しを行うようにすれば、接地線に対応した接続端子を最後に外すことができる。
【００２５】
このように、計器部およびアダプタ部の取り付けまたは取り外しを行う際に、高い電圧がかかることがなく、事故の危険性を軽減することができるので、ユーザの作業の安全性を確保することができる。
【００２６】
また、使用者が不在の場合であり、引込口開閉器を切断することができないような場合であっても、ユーザはこのスイッチをオフに切り替えれば、計器部への電気的な接続を切断することができるので便利である。
【発明の効果】
【００２７】
この発明によれば、アダプタ部および計器部にそれぞれ設けられた第１の接続部および第２の接続部のうち、いずれかに板状または棒状の接続端子が設けられており、接続端子のうち接地線に対応した接続端子を、その他の接続端子とは異なった形状に形成するとともに、その他の接続端子よりも長く形成するか、もしくは、接地線を除く電源側の配線から第１の接続部への電気的な接続または非接続を切り替えるためのスイッチをアダプタ部に設けることで、ユーザがアダプタ部に対して計器部の取り付けまたは取り外しをする際に、事故を引き起こすことなく安全に作業を行うことができる。
【発明を実施するための最良の形態】
【００２８】
以下、図面を参照しながら、この発明の実施の形態について説明する。
【００２９】
図１はこの発明の実施の形態である、単相三線式１００Ｖ／２００Ｖの電力量計１００の構成を示す図である。以下、図１を用いて、電力量計１００の構成について説明する。
【００３０】
図１に示すように、電力量計１００は、アダプタ部１０および計器部２０から構成される。
【００３１】
アダプタ部１０の底面には、図示しないが、配線３０ａ，３０ｂおよび接地線３１を挿入するため接続穴が６つ設けられている。ここで、接地線３１は、接地を目的とした配線である。各々の接続穴には、配線３０ａ，３０ｂおよび接地線３１が挿入され、さらに前面側から端子ねじ１４がねじ込まれて固定されている。なお、左側の配線３０ａおよび接地線３１は電源側の配線であり、右側の配線３０ｂおよび接地線３１は負荷側の配線である。また、図１にも示すように、接地線３１，３１は、それぞれ２本の配線３０ａ，３０ｂの間に取り付けられる。
【００３２】
計器部２０に接する接続面である、アダプタ部１０の上面（第１の接続部）には、アダプタ部１０の内部を中継して配線３０ａ，３０ｂおよび接地線３１に接続される接続孔１１ａ，１１ｂおよび接続孔１２が６つ取り付けられている。接続孔１１ａは、電源側の配線３０ａに接続され、接続孔１１ｂは負荷側の配線３０ｂに接続されている。接地線３１に対応した接続孔１２は、配線３０ａ，３０ｂに対応した接続孔１１ａ，１１ｂと比較して、長く形成されている。
【００３３】
また、アダプタ部１０に接する接続面である、計器部２０の底面（第２の接続部）には、接続孔１１（接続孔１１ａ，１１ｂ）および接続孔１２に対応し、アダプタ部１０に着脱自在に接続するための接続端子２１ａ，２１ｂおよび接続端子２２が合計６つ取り付けられている。計器部２０は接続端子２１（接続端子２１ａ，２１ｂ）を通じて配線３０ａ，３０ｂから電圧および電流を検出し、この電力量計が取り付けられた家庭またはオフィス等で使用された電力量を算出する。
【００３４】
なお、計器部２０には、計器部２０が算出した電力量を表示し、検針員が検針の際に確認するためのカウンタが設けられているが、図１および後述する図２、図４においては図示していない。
【００３５】
図２は接続端子２１（接続端子２１ａ，２１ｂ）および接続端子２２を下方から見た図である。図２に示すように、接続端子２１および接続端子２２は、アダプタ部に取り付けられた接続孔１１（接続孔１１ａ，１１ｂ）および接続孔１２に対応した形状であり、接続端子２１ａは配線３０ａに、接続端子２１ｂは配線３０ｂに、接続端子２２は接地線３１にそれぞれ対応している。また、図２に示すように、接続孔１２と同様に、接地線３１に対応した接続端子２２は、配線３０ａに対応した接続端子２１ａよりも長く形成されている。
【００３６】
ユーザは、計器部２０の取り替え等を行う場合等、計器部２０をアダプタ部１０に取り付ける際に、計器部２０を図１に示す矢印の方向にスライドさせて、接続端子２１，２２をそれぞれ接続孔１１，１２に挿入することで、容易に取り付けを行うことができる。
【００３７】
この場合、接続端子２２が接続端子２１より長く形成されているので、計器部２０をアダプタ部１０に取り付ける際に、接続端子２１が接続孔１１に接続されるよりも先に接続端子２２が接続孔１２に接続される。また、計器部２０をアダプタ部１０から取り外す際には、接続端子２２が最後に接続孔１２から外れる。そのため、取り付け、取り外しのいずれの場合においても、高い電圧がかかって事故になる危険性が極めて低く、ユーザは安全に作業を行うことができる。
【００３８】
また、図１に示すように、アダプタ部１０には、右側面にスイッチ１３が設けられている。
【００３９】
図３は、スイッチ１３の接続例を示した図である。図３にも示すように、スイッチ１３によって、アダプタ部１０の内部の、電源側、つまり図１に示すアダプタ部１０の左側に接続された２本の配線３０ａおよび接続孔１１ａを接続する回路の開閉の切り換えが可能な構成とされる。したがって、ユーザは、スイッチ１３のオン／オフを切り替えることで、配線３０ａと接続孔１１ａとの電気的な接続または非接続を容易に切り替えることができる。
【００４０】
ユーザは、計器部２０を取り付ける際に、スイッチ１３をオン（破線図示）からオフ（実線図示）に切り替えることで、配線３０ａおよび接地線３１が接続された入力側から、出力側、つまり接続孔１１ａへの回路が開かれて、非接続の状態となり、計器部２０のアダプタ部１０に対する取り付けまたは取り外しの際に、接地線３１が最後に接続される、あるいは、接地線３１が最初に外れるということがなく、より安全に作業を行うことができる。
【００４１】
通常、このような計器部２０の取り付けまたは取り外しの作業は、電力量計１００の取り付け先の住人、つまり使用者が在宅の場合は、電源側と負荷側とを電気的に開路する、引込口開閉器（図示せず）を切断して作業を行う。
【００４２】
しかし、上述したように、スイッチ１３が取り付けられていれば、使用者が不在の場合等、引込口開閉器が切断されていない場合であっても、ユーザはスイッチ１３をオフにすることで、配線３０ａと接続孔１１ａとの電気的な接続を断つことができ、作業の安全性を確保することができる。なお、このことは上述したように接地線３１に対応した接続端子２２の長さを配線３０ａ，３０ｂに対応した接続端子２１よりも長く形成していることでも言えるが、スイッチ１３を設けることでより確実にできる。
【００４３】
なお、上述の実施の形態においては、図２に示すように、接続先に応じて接続端子２２の長さを変更したものの、接続端子２１，２２の先端部の形状はいずれも同じであった。このため、取り付けの際に、誤って接続端子２１，２２を挿入する接続穴１１，１２がずれてしまって、接続端子２１を接続孔１２に、接続端子２２を接続孔１１に挿入してしまうこと等も考えられる。
【００４４】
このような問題を回避するため、接地線３１に対応した接続端子２２の先端部を、配線３０ａ，３０ｂに対応した接続端子２１ａ，２１ｂの先端部とは異なった形状に形成するようにしてもよい。
【００４５】
図４は、接地線３１に対応した接続端子２２´の先端部と、配線３０ａ，３０ｂに対応した接続端子２１´（２１ａ´，２１ｂ´）の先端部の形状を示す図である。図４に示すように、接続端子２２´は接続端子２１´とは長さが異なる上、接続端子２１´の先端部の形状が断面円形であるのに対して、接続端子２２´の先端部の形状は、断面四角形である。なお、図示しないが、この場合、接続端子２１´，２２´の接続先である接続孔も同様に、接続端子２１´，２２´の先端部に対応した形状とされる。
【００４６】
このように、接地線３１に対応した接続端子２２´の形状を接続端子２１ａ´，２１ｂ´とは異なった形状にすることによって、ユーザが、例えば、接続端子２１ｂ´を接続端子２２´に対応した接続孔に誤って挿入してしまいそうになったとしても、形状が異なるため挿入することができないので、誤接続の危険性をより回避できる。
【００４７】
また、上述の実施の形態においては、アダプタ部１０に接続孔１１，１２を設けて、計器部２０に接続端子２１，２２を取り付けたが、逆に、アダプタ部１０に接続端子を取り付け、計器部２０に接続孔を設けるようにしてもよい。
【００４８】
また、上述の実施の形態（図１）においては、接続端子２１，２２を板状の形状としたが、棒状の形状としてもよい。
【００４９】
また、接続端子２１，２２を図１に示す矢印方向にスライドさせて接続孔１１，１２に挿入するのではなく、接続端子２１，２２を計器部２０の接続面に、この接続面に対して垂直方向に取り付けるようにしてもよい。この場合、接続孔１１，１２も接続端子２１，２２に対応して、アダプタ部１０の接続面、つまり上面に、この面に平行に設けられる。ユーザは、計器部２０を上に持ち上げるだけでアダプタ部１０から容易に取り外すことができる。
【００５０】
また、図１に示す電力量計１００は、接続先に応じて接続端子２１，２２の長さを変更した上、アダプタ部１０にスイッチ１３を設けたが、スイッチ１３を設けなくてもよい。また、逆に、スイッチ１３をアダプタ部１０に設けるのであれば、接続端子２１，２２を接続先に関係なく同じ長さに形成してもよい。
【産業上の利用可能性】
【００５１】
この発明によれば、計器部がアダプタ部に着脱自在に接続することができる構成であり、接続部分のいずれかに板状または棒状の接続端子が設けられており、接続端子のうち接地線に対応した接続端子を、その他の接続端子よりも長く形成することによって、ユーザが計器部およびアダプタ部の取り付けまたは取り外しをする際に、安全に作業を行うことを可能とした電力量計に係るものであり、計器部の取り替えが行われる電力量計に適用することができる。
【図面の簡単な説明】
【００５２】
【図１】電力量計１００の構成を示した図である。
【図２】接続端子２１，２２を下方から見た図である。
【図３】スイッチ１３の接続例を示した図である。
【図４】接続端子２１´，２２´の形状を示した図である。
【図５】従来の電力量計２００の構成を示した図である。
【符号の説明】
【００５３】
１０・・・アダプタ部、１１ａ，１１ｂ，１２・・・接続孔、１３・・・スイッチ、１４・・・端子ねじ、２０・・・計器部、２１ａ，２１ａ´，２１ｂ，２１ｂ´，２２，２２´・・・接続端子、３０ａ，３０ｂ・・・配線、３１・・・接地線、１００・・・電力量計
【図１】
0004696005.tif 000002
【図２】
0004696005.tif 000003
【図３】
0004696005.tif 000004
【図４】
0004696005.tif 000005
【図５】
0004696005.tif 000006